(57)【特許請求の範囲】
【請求項１】
被止水面に接触し当該被止水面との間を止水可能であるグロメットアウタが装着される装着部と、
前記装着部と一体で電線を挿通可能な環状に形成され、前記被止水面に形成された貫通孔に嵌合可能である嵌合部と、
前記嵌合部の外側面から突出して形成され前記貫通孔の縁部に係止可能である係止爪部と、
前記嵌合部の外側面から突出して形成され前記貫通孔の内面と当接可能である変形調整リブ部とを備え、
前記貫通孔の内面、及び、前記嵌合部の外側面は、長軸と当該長軸と直交する短軸との交点である基準点に対して対称形で、かつ、前記長軸に沿った長さが前記短軸に沿った長さよりも長く、かつ、少なくとも前記長軸に沿った長軸方向の両端が曲線である環状の仮想輪郭線に沿う形状に形成され、
前記係止爪部は、前記長軸と前記仮想輪郭線との交点である２つの長軸交点に対応した位置である前記嵌合部の外側面の２つの長軸基準位置と、前記短軸と前記仮想輪郭線との交点である２つの短軸交点に対応した位置である前記嵌合部の外側面の２つの短軸基準位置との間の４つの区間における各曲面部分に少なくとも１つずつ、合計４つが設けられ、
前記変形調整リブ部は、前記２つの長軸基準位置と前記４つの係止爪部との間の４つの区間に少なくとも１つずつ、合計４つが設けられ、
さらに、前記変形調整リブ部は、前記貫通孔の縁部によって押し潰し可能な潰しリブ部であり、前記嵌合部が前記貫通孔に嵌合していない状態で、前記嵌合部の外側面からの突出量が、当該変形調整リブ部が設けられている位置における当該外側面と前記貫通孔の内面との間隔以上になるように形成されることを特徴とする、
グロメットインナ。
【請求項２】
前記４つの係止爪部、及び、前記４つの変形調整リブ部は、それぞれ前記基準点に対して対称な位置に形成される、
請求項１に記載のグロメットインナ。
【請求項３】
前記嵌合部は、前記２つの長軸基準位置の一方側の曲面部分に設けられ相互に開放可能な開放端部を相互に係止可能な端部係止部と、前記２つの長軸基準位置の他方側の曲面部分に設けられ前記開放端部の開放支点となる支点部とを有し、
前記支点部は、当該支点部を基準として一方の前記開放端部側と他方の前記開放端部側とを相対的に開閉可能に連結しヒンジ形状に形成され、前記開放端部の開放の際に一方の前記開放端部側と他方の前記開放端部側との撓みの基点となり、
前記嵌合部は、前記端部係止部によって前記開放端部を相互に係止可能である一方、前記端部係止部における前記開放端部の係止を解除することで前記支点部を基点として全体を撓ませながら当該開放端部を相互に開放可能に構成され、
前記長軸方向の一方側の２つの前記変形調整リブ部は、前記嵌合部の外側面の周方向に対して前記端部係止部を挟む位置に形成され、
前記長軸方向の他方側の２つの前記変形調整リブ部は、前記嵌合部の外側面の周方向に対して前記支点部を挟む位置に形成される、
請求項１又は請求項２に記載のグロメットインナ。
【請求項４】
被止水面に接触し当該被止水面との間を止水可能であるグロメットアウタと、
前記グロメットアウタが装着される装着部、前記装着部と一体で電線を挿通可能な環状に形成され、前記被止水面に形成された貫通孔に嵌合可能である嵌合部、前記嵌合部の外側面から突出して形成され前記貫通孔の縁部に係止可能である係止爪部、及び、前記嵌合部の外側面から突出して形成され前記貫通孔の内面と当接可能である変形調整リブ部とを有するグロメットインナとを備え、
前記貫通孔の内面、及び、前記嵌合部の外側面は、長軸と当該長軸と直交する短軸との交点である基準点に対して対称形で、かつ、前記長軸に沿った長さが前記短軸に沿った長さよりも長く、かつ、少なくとも前記長軸に沿った長軸方向の両端が曲線である環状の仮想輪郭線に沿う形状に形成され、
前記係止爪部は、前記長軸と前記仮想輪郭線との交点である２つの長軸交点に対応した位置である前記嵌合部の外側面の２つの長軸基準位置と、前記短軸と前記仮想輪郭線との交点である２つの短軸交点に対応した位置である前記嵌合部の外側面の２つの短軸基準位置との間の４つの区間における各曲面部分に少なくとも１つずつ、合計４つが設けられ、
前記変形調整リブ部は、前記２つの長軸基準位置と前記４つの係止爪部との間の４つの区間に少なくとも１つずつ、合計４つが設けられ、
さらに、前記変形調整リブ部は、前記貫通孔の縁部によって押し潰し可能な潰しリブ部であり、前記グロメットインナが前記貫通孔に嵌合していない状態で、前記嵌合部の外側面からの突出量が、当該変形調整リブ部が設けられている位置における当該外側面と前記貫通孔の内面との間隔以上になるように形成されることを特徴とする、
グロメット。
【請求項５】
電線と、
被止水面に接触し当該被止水面との間を止水可能であるグロメットアウタ、及び、前記グロメットアウタが装着されるグロメットインナを有するグロメットとを備え、
前記グロメットインナは、前記グロメットアウタが装着される装着部、前記装着部と一体で前記電線を挿通可能な環状に形成され、前記被止水面に形成された貫通孔に嵌合可能である嵌合部、前記嵌合部の外側面から突出して形成され前記貫通孔の縁部に係止可能である係止爪部、及び、前記嵌合部の外側面から突出して形成され前記貫通孔の内面と当接可能である変形調整リブ部とを有し、
前記貫通孔の内面、及び、前記嵌合部の外側面は、長軸と当該長軸と直交する短軸との交点である基準点に対して対称形で、かつ、前記長軸に沿った長さが前記短軸に沿った長さよりも長く、かつ、少なくとも前記長軸に沿った長軸方向の両端が曲線である環状の仮想輪郭線に沿う形状に形成され、
前記係止爪部は、前記長軸と前記仮想輪郭線との交点である２つの長軸交点に対応した位置である前記嵌合部の外側面の２つの長軸基準位置と、前記短軸と前記仮想輪郭線との交点である２つの短軸交点に対応した位置である前記嵌合部の外側面の２つの短軸基準位置との間の４つの区間における各曲面部分に少なくとも１つずつ、合計４つが設けられ、
前記変形調整リブ部は、前記２つの長軸基準位置と前記４つの係止爪部との間の４つの区間に少なくとも１つずつ、合計４つが設けられ、
さらに、前記変形調整リブ部は、前記貫通孔の縁部によって押し潰し可能な潰しリブ部であり、前記グロメットインナが前記貫通孔に嵌合していない状態で、前記嵌合部の外側面からの突出量が、当該変形調整リブ部が設けられている位置における当該外側面と前記貫通孔の内面との間隔以上になるように形成されることを特徴とする、
ワイヤハーネス。
【発明の詳細な説明】
【技術分野】
【０００１】
本発明は、グロメットインナ、グロメット、及び、ワイヤハーネスに関する。
【背景技術】
【０００２】
車両のワイヤハーネス等に適用される従来のグロメットインナ、及び、グロメットとして、例えば、特許文献１には、  取付パネルに形成された嵌合孔に挿入され、嵌合孔の内縁に係止する複数のロック部が外側面に設けられた筒状のグロメットインナと、グロメットインナの端部に同軸で被着され、取付パネルに当接してシールする筒状のグロメットアウタとからなるグロメットが開示されている。このグロメットは、グロメットインナの外側面に、嵌合孔への挿入時に嵌合孔の内縁へ弾性的に当接して当該グロメットインナを嵌合孔の中心に位置決め可能な複数のセンタリング部が設けられている。
【先行技術文献】
【特許文献】
【０００３】
【特許文献１】特開２００９−０８９５８７号公報
【発明の概要】
【発明が解決しようとする課題】
【０００４】
ところで、上述の特許文献１に記載のグロメットは、例えば、嵌合孔へのより確実な組み付けの点で更なる改善の余地がある。
【０００５】
本発明は、上記の事情に鑑みてなされたものであって、確実に組み付けることができるグロメットインナ、グロメット、及び、ワイヤハーネスを提供することを目的とする。
【課題を解決するための手段】
【０００６】
上記目的を達成するために、本発明に係るグロメットインナは、被止水面に接触し当該被止水面との間を止水可能であるグロメットアウタが装着される装着部と、前記装着部と一体で電線を挿通可能な環状に形成され、前記被止水面に形成された貫通孔に嵌合可能である嵌合部と、前記嵌合部の外側面から突出して形成され前記貫通孔の縁部に係止可能である係止爪部と、前記嵌合部の外側面から突出して形成され前記貫通孔の内面と当接可能である変形調整リブ部とを備え、前記貫通孔の内面、及び、前記嵌合部の外側面は、長軸と当該長軸と直交する短軸との交点である基準点に対して対称形で、かつ、前記長軸に沿った長さが前記短軸に沿った長さよりも長く、かつ、少なくとも前記長軸に沿った長軸方向の両端が曲線である環状の仮想輪郭線に沿う形状に形成され、前記係止爪部は、前記長軸と前記仮想輪郭線との交点である２つの長軸交点に対応した位置である前記嵌合部の外側面の２つの長軸基準位置と、前記短軸と前記仮想輪郭線との交点である２つの短軸交点に対応した位置である前記嵌合部の外側面の２つの短軸基準位置との間の４つの区間における各曲面部分に少なくとも１つずつ、合計４つが設けられ、前記変形調整リブ部は、前記２つの長軸基準位置と前記４つの係止爪部との間の４つの区間に少なくとも１つずつ、合計４つが設けられ、さらに、前記変形調整リブ部は、前記貫通孔の縁部によって押し潰し可能な潰しリブ部であり、前記嵌合部が前記貫通孔に嵌合していない状態で、前記嵌合部の外側面からの突出量が、当該変形調整リブ部が設けられている位置における当該外側面と前記貫通孔の内面との間隔以上になるように形成されることを特徴とする。
【０００７】
また、上記グロメットインナでは、前記４つの係止爪部、及び、前記４つの変形調整リブ部は、それぞれ前記基準点に対して対称な位置に形成されるものとすることができる。
【０００８】
また、上記グロメットインナでは、前記変形調整リブ部は、前記貫通孔の縁部によって押し潰し可能な潰しリブ部であるものとすることができる。
【０００９】
また、上記グロメットインナでは、前記嵌合部は、前記２つの長軸基準位置の一方側の曲面部分に設けられ相互に開放可能な開放端部を相互に係止可能な端部係止部と、前記２つの長軸基準位置の他方側の曲面部分に設けられ前記開放端部の開放支点となる支点部とを有し、前記支点部は、当該支点部を基準として一方の前記開放端部側と他方の前記開放端部側とを相対的に開閉可能に連結しヒンジ形状に形成され、前記開放端部の開放の際に一方の前記開放端部側と他方の前記開放端部側との撓みの基点となり、前記嵌合部は、前記端部係止部によって前記開放端部を相互に係止可能である一方、前記端部係止部における前記開放端部の係止を解除することで前記支点部を基点として全体を撓ませながら当該開放端部を相互に開放可能に構成され、前記長軸方向の一方側の２つの前記変形調整リブ部は、前記嵌合部の外側面の周方向に対して前記端部係止部を挟む位置に形成され、前記長軸方向の他方側の２つの前記変形調整リブ部は、前記嵌合部の外側面の周方向に対して前記支点部を挟む位置に形成されるものとすることができる。
【００１０】
上記目的を達成するために、本発明に係るグロメットは、被止水面に接触し当該被止水面との間を止水可能であるグロメットアウタと、前記グロメットアウタが装着される装着部、前記装着部と一体で電線を挿通可能な環状に形成され、前記被止水面に形成された貫通孔に嵌合可能である嵌合部、前記嵌合部の外側面から突出して形成され前記貫通孔の縁部に係止可能である係止爪部、及び、前記嵌合部の外側面から突出して形成され前記貫通孔の内面と当接可能である変形調整リブ部とを有するグロメットインナとを備え、前記貫通孔の内面、及び、前記嵌合部の外側面は、長軸と当該長軸と直交する短軸との交点である基準点に対して対称形で、かつ、前記長軸に沿った長さが前記短軸に沿った長さよりも長く、かつ、少なくとも前記長軸に沿った長軸方向の両端が曲線である環状の仮想輪郭線に沿う形状に形成され、前記係止爪部は、前記長軸と前記仮想輪郭線との交点である２つの長軸交点に対応した位置である前記嵌合部の外側面の２つの長軸基準位置と、前記短軸と前記仮想輪郭線との交点である２つの短軸交点に対応した位置である前記嵌合部の外側面の２つの短軸基準位置との間の４つの区間における各曲面部分に少なくとも１つずつ、合計４つが設けられ、前記変形調整リブ部は、前記２つの長軸基準位置と前記４つの係止爪部との間の４つの区間に少なくとも１つずつ、合計４つが設けられ、さらに、前記変形調整リブ部は、前記貫通孔の縁部によって押し潰し可能な潰しリブ部であり、前記グロメットインナが前記貫通孔に嵌合していない状態で、前記嵌合部の外側面からの突出量が、当該変形調整リブ部が設けられている位置における当該外側面と前記貫通孔の内面との間隔以上になるように形成されることを特徴とする。
【００１１】
上記目的を達成するために、本発明に係るワイヤハーネスは、電線と、被止水面に接触し当該被止水面との間を止水可能であるグロメットアウタ、及び、前記グロメットアウタが装着されるグロメットインナを有するグロメットとを備え、前記グロメットインナは、前記グロメットアウタが装着される装着部、前記装着部と一体で前記電線を挿通可能な環状に形成され、前記被止水面に形成された貫通孔に嵌合可能である嵌合部、前記嵌合部の外側面から突出して形成され前記貫通孔の縁部に係止可能である係止爪部、及び、前記嵌合部の外側面から突出して形成され前記貫通孔の内面と当接可能である変形調整リブ部とを有し、前記貫通孔の内面、及び、前記嵌合部の外側面は、長軸と当該長軸と直交する短軸との交点である基準点に対して対称形で、かつ、前記長軸に沿った長さが前記短軸に沿った長さよりも長く、かつ、少なくとも前記長軸に沿った長軸方向の両端が曲線である環状の仮想輪郭線に沿う形状に形成され、前記係止爪部は、前記長軸と前記仮想輪郭線との交点である２つの長軸交点に対応した位置である前記嵌合部の外側面の２つの長軸基準位置と、前記短軸と前記仮想輪郭線との交点である２つの短軸交点に対応した位置である前記嵌合部の外側面の２つの短軸基準位置との間の４つの区間における各曲面部分に少なくとも１つずつ、合計４つが設けられ、前記変形調整リブ部は、前記２つの長軸基準位置と前記４つの係止爪部との間の４つの区間に少なくとも１つずつ、合計４つが設けられ、さらに、前記変形調整リブ部は、前記貫通孔の縁部によって押し潰し可能な潰しリブ部であり、前記グロメットインナが前記貫通孔に嵌合していない状態で、前記嵌合部の外側面からの突出量が、当該変形調整リブ部が設けられている位置における当該外側面と前記貫通孔の内面との間隔以上になるように形成されることを特徴とする。
【発明の効果】
【００１２】
本発明に係るグロメットインナ、グロメット、及び、ワイヤハーネスは、グロメットインナの嵌合部が被止水面に形成された貫通孔に嵌合し係止爪部によって当該貫通孔の縁部に係止され、グロメットインナの装着部に装着されたグロメットアウタが被止水面に接触し当該被止水面との間を止水する。そして、グロメットインナ、グロメット、及び、ワイヤハーネスは、例えば、グロメットインナが貫通孔に対して相対回転しねじれが発生した場合であっても、当該ねじれに応じたグロメットインナの嵌合部の変形が変形調整リブ部によって調整されることで、各係止爪部と貫通孔の縁部との係止状態を適正な状態で維持することができる。この結果、グロメットインナ、グロメット、及び、ワイヤハーネスは、確実に組み付けることができる、という効果を奏する。
【図面の簡単な説明】
【００１３】
【図１】図１は、実施形態に係るグロメットの概略構成を表す断面斜視図である。
【図２】図２は、実施形態に係るグロメットの概略構成を表す分解斜視図である。
【図３】図３は、実施形態に係るグロメットの概略構成を表す分解斜視図である。
【図４】図４は、実施形態に係るグロメットの係止爪部を含む部分断面図である。
【図５】図５は、実施形態に係るグロメットの概略構成を表す斜視図である。
【図６】図６は、実施形態に係るグロメットの変形調整リブ部を含む部分断面図である。
【図７】図７は、実施形態に係るグロメットにおける仮想輪郭線について説明する模式図である。
【図８】図８は、実施形態に係るグロメットにおける嵌合部側の平面図である。
【図９】図９は、実施形態に係るグロメットの変形調整リブ部を含む部分斜視図である。
【図１０】図１０は、実施形態に係るグロメットの変形調整リブ部を含む部分斜視図である。
【図１１】図１１は、変形例に係るグロメットにおける仮想輪郭線について説明する模式図である。
【発明を実施するための形態】
【００１４】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１５】
［実施形態］
図１に示す本実施形態のグロメット１は、車両等に配索されるワイヤハーネスＷＨに組み込まれ、取付パネル１００に形成された貫通孔１０１を介して当該取付パネル１００を境界にして区画される２つの空間に渡って電線Ｗを配索する際に当該貫通孔１０１に適用されるものである。取付パネル１００は、例えば、車両のボデー等を構成する金属板であり、貫通孔１０１は、当該取付パネル１００を板厚方向に貫通する。当該取付パネル１００等を境界にして区画される２つの空間とは、例えば、車内空間と車外空間である。ここで、ワイヤハーネスＷＨは、例えば、車両に搭載される各装置間の接続のために、電源供給や信号通信に用いられる複数の電線Ｗを束にして集合部品とし、コネクタ等で複数の電線Ｗを一度に各装置に接続するようにしたものである。ワイヤハーネスＷＨは、電線Ｗと、当該電線Ｗが挿通されるグロメット１とを備える。電線Ｗは、例えば、複数の導電性の金属素線を撚り合わせた導体部（芯線）と、当該導体部の外側を覆う絶縁性の被覆部とを含んで構成される。ワイヤハーネスＷＨは、複数の電線Ｗを束ねて集約し束ねられた電線Ｗの端部に接続部としてのコネクタ等を介して各種機器が電気的に接続される。そして、グロメット１は、当該ワイヤハーネスＷＨの電線Ｗが挿通され当該電線Ｗの周囲に外装された状態で貫通孔１０１に組み付けられ、取付パネル１００の一方の面によって構成される被止水面１０２に密着して装着されることで、貫通孔１０１を通る電線Ｗを保護すると共に当該貫通孔１０１を防水するものである。グロメット１は、貫通孔１０１の防水の他、防塵、遮音等の機能も有する。以下、各図を参照してグロメット１の構成について詳細に説明する。なお、ワイヤハーネスＷＨは、この他、例えば、コルゲートチューブ、樹脂テープ、プロテクタ等の外装部材、電気接続箱、固定具など種々の構成部品を含んで構成されてもよい。
【００１６】
なお、以下では、説明を分かり易くするために、便宜的に互いに交差する第１方向、第２方向、及び、第３方向のうち、第１方向を「軸方向Ｘ」といい、第２方向を「長軸方向Ｙ」といい、第３方向を「短軸方向Ｚ」という。典型的には、第１方向としての軸方向Ｘと第２方向としての長軸方向Ｙと第３方向としての短軸方向Ｚとは、相互に直交する。ここでは、軸方向Ｘは、取付パネル１００の板厚方向に相当し、長軸方向Ｙ、短軸方向Ｚは、取付パネル１００の延在方向に相当する。貫通孔１０１は、取付パネル１００を軸方向Ｘに貫通し、取付パネル１００を境界にして軸方向Ｘの両側に区画される２つの空間に渡って電線Ｗを貫通させる。以下の説明で用いる各方向は、特に断りのない限り、グロメット１の各部が相互に組み付けられ、当該グロメット１が取付パネル１００の貫通孔１０１に組み付けられた状態での方向として説明する。
【００１７】
具体的には、本実施形態のグロメット１は、図１、図２、図３に示すように、グロメットアウタ２と、グロメットインナ３とを備え、当該グロメットインナ３の所定の位置に変形調整リブ部３３を設けることで、より確実な組み付けの実現を図ったものである。グロメット１は、グロメットアウタ２がグロメットインナ３と比較して相対的に高い可撓性を有して形成され、グロメットインナ３がグロメットアウタ２と比較して相対的に高い剛性を有して形成される。
【００１８】
グロメットアウタ２は、グロメットインナ３に装着されると共に内側に電線Ｗが挿通され、被止水面１０２に接触し当該被止水面１０２との間を止水可能なシール部材である。グロメットアウタ２は、本体部２１、管状部２２、及び、リップ部２３を含んで構成され、これらが一体となって弾性体として形成される。グロメットアウタ２は、例えば、ゴムや熱可塑性エラストマー等、剛性の低い可撓性の弾性材料（例えば、エチレン−プロピレン−ジエンゴム（ＥＰＤＭ）等）により形成される。
【００１９】
本体部２１は、管状部２２、及び、リップ部２３が設けられる台座部を構成する部分である。本体部２１は、筒状部２１ａ、閉塞端面部２１ｂ、及び、フランジ部２１ｃを含んで構成され、全体としてドーム状に形成される。筒状部２１ａは、軸線が軸方向Ｘに沿った環状、ここでは筒状に形成される。本実施形態の筒状部２１ａは、軸方向Ｘに沿って視て（以下、「軸方向視」という場合がある。）、長軸方向Ｙが長手方向となる略長円形状に形成される。筒状部２１ａは、軸方向Ｘの一方側が閉塞端面部２１ｂによって閉塞される一方、軸方向Ｘの他方側が開口している。本体部２１は、筒状部２１ａと閉塞端面部２１ｂとによって区画された内部空間部が嵌合挿通空間部２１ｄを構成する。嵌合挿通空間部２１ｄは、グロメットインナ３が嵌合されると共に電線Ｗが挿通される空間部である。フランジ部２１ｃは、筒状部２１ａの内周面に、軸線が軸方向Ｘに沿った環状の板状の部分として形成される。フランジ部２１ｃは、筒状部２１ａの内周面において、閉塞端面部２１ｂ側の端部でかつ軸方向Ｘに沿って閉塞端面部２１ｂと間隔をあけた位置に形成される。フランジ部２１ｃは、筒状部２１ａの内周面の全周に渡って形成される。
【００２０】
管状部２２は、管状に形成され内側に電線Ｗが挿通される部分である。管状部２２は、円筒管状に形成され、内部空間部が挿通空間部２２ａを構成する。挿通空間部２２ａは、電線Ｗが挿通される空間部である。管状部２２は、一端が本体部２１の閉塞端面部２１ｂに接続され嵌合挿通空間部２１ｄに向けて開口する。ここでは、管状部２２は、当該閉塞端面部２１ｂ側の端部にて屈曲し長軸方向Ｙに沿って延在する。グロメットアウタ２は、本体部２１の内部空間部である嵌合挿通空間部２１ｄと管状部２２の内部空間部である挿通空間部２２ａとが連通され、当該嵌合挿通空間部２１ｄと当該挿通空間部２２ａとに渡って電線Ｗが挿通される。
【００２１】
リップ部２３は、被止水面１０２に接触し当該被止水面１０２との間を止水する部分である。ここでは、リップ部２３は、第１リップ部２３ａと、第２リップ部２３ｂとを含んで構成される。第１リップ部２３ａは、本体部２１の筒状部２１ａの軸方向Ｘの他方側（閉塞端面部２１ｂ側とは反対側）の開口の全周に渡って環状に形成される。第２リップ部２３ｂは、第１リップ部２３ａの内側、ここでは、フランジ部２１ｃの全周に渡って環状に形成される。第１リップ部２３ａ、第２リップ部２３ｂは、軸方向に沿って閉塞端面部２１ｂ側とは反対側に延在しその先端部を外周側に湾曲して形成されている。第１リップ部２３ａ、第２リップ部２３ｂは、グロメット１が貫通孔１０１に装着された状態で、弾性変形によって貫通孔１０１の周縁の被止水面１０２に密着し、貫通孔１０１の全周縁をシールするよう構成される。
【００２２】
グロメットインナ３は、グロメットアウタ２が装着されると共に内側に電線Ｗが挿通され、貫通孔１０１に嵌合可能な嵌合部材である。グロメットインナ３は、本体部３１、係止爪部３２、及び、変形調整リブ部３３とを含んで構成され、これらが一体となってグロメットアウタ２より高剛性の剛体として形成される。グロメットインナ３は、例えば、グロメットアウタ２よりも剛性の高いポリプロピレン（ＰＰ）等の合成樹脂材により形成される。
【００２３】
本体部３１は、グロメットアウタ２が装着されると共に貫通孔１０１に嵌合される部分である。本体部３１は、装着部３４と嵌合部３５とを含んで構成され、全体として、電線Ｗを挿通可能な略長円形状の環状に形成される。
【００２４】
装着部３４は、本体部３１において、グロメットアウタ２が装着される部分である。装着部３４は、軸方向Ｘが板厚方向となる枠板状に形成される。装着部３４は、グロメットアウタ２の本体部２１の形状に応じた形状に形成され、ここでは、軸線が軸方向Ｘに沿った略Ｃ字型形状の板状のフランジ部分として形成される。言い換えれば、装着部３４は、グロメットアウタ２の本体部２１の筒状部２１ａと同様に長軸方向Ｙが長手方向となる略長円形状の枠状に形成され、その上で、長軸方向Ｙの一方の端部（頂点）に当該枠状の部分を長軸方向Ｙに沿って貫通する切り欠き３４ａを有した形状となっている。装着部３４は、軸方向Ｘに対してグロメットアウタ２の本体部２１の閉塞端面部２１ｂとフランジ部２１ｃとの間に位置し保持される位置関係で、当該グロメットアウタ２が装着される。
【００２５】
嵌合部３５は、電線Ｗを挿通可能な環状に形成され、本体部３１において、貫通孔１０１に嵌合可能な部分である。嵌合部３５は、軸線が軸方向Ｘに沿った環状、ここでは筒状に形成される。本実施形態の嵌合部３５は、軸方向視にて、長軸方向Ｙが長手方向となる略長円形状に形成される。ここでは、嵌合部３５は、略長円形状の二重壁体として形成されているがこれに限らず二重壁体でなくてもよい。嵌合部３５は、軸方向Ｘの一方側の端部に装着部３４が一体に形成される。嵌合部３５は、内側面（内周面）３５ａ側が装着部３４とほぼ揃っている一方、外側面（外周面）３５ｂ側が装着部３４より小さくなっている。本体部３１は、装着部３４、嵌合部３５の内部空間部が挿通空間部３１ａを構成する。挿通空間部３１ａは、電線Ｗが挿通される空間部である。嵌合部３５は、挿通空間部３１ａとは反対側の面、すなわち、外側面３５ｂに後述の係止爪部３２、変形調整リブ部３３が形成される。
【００２６】
さらに、嵌合部３５は、長軸方向Ｙの一方の端部（頂点）に設けられる端部係止部３５ｃと、長軸方向Ｙの他方の端部（頂点）に設けられる支点部３５ｄとを有する。ここで、本実施形態の本体部３１は、装着部３４、嵌合部３５が長軸方向Ｙの一方の端部にて切断されており、当該切断部分に形成される端部である開放端部３１ｂ、３１ｃを相互に開放可能な構成とされる。本体部３１における切断部分は、軸方向Ｘに沿って装着部３４と嵌合部３５とに渡って形成され、すなわち、開放端部３１ｂ、３１ｃは、装着部３４と嵌合部３５とに渡って形成される。端部係止部３５ｃは、嵌合部３５において当該開放端部３１ｂ、３１ｃを相互に係止可能な部分である。端部係止部３５ｃは、例えば、開放端部３１ｂ、３１ｃの一方に形成される爪部３５ｅと、開放端部３１ｂ、３１ｃの他方に形成され当該爪部３５ｅを係止する被係止部３５ｆとによって構成される。支点部３５ｄは、嵌合部３５において上述の切り欠き３４ａと軸方向Ｘに対向する位置に形成される。支点部３５ｄは、嵌合部３５において、開放端部３１ｂ、３１ｃの開放支点となる部分である。支点部３５ｄは、当該支点部３５ｄを基準として開放端部３１ｂ側と開放端部３１ｃ側とを相対的に開閉可能に連結し、開放端部３１ｂ、３１ｃの開放の際に開放端部３１ｂ側と開放端部３１ｃ側との撓みの基点（支点）となる。ここでは、支点部３５ｄは、稜線が軸方向Ｘに沿うような位置関係で曲面状に折り返されたヒンジ形状に形成されている。本体部３１は、端部係止部３５ｃによって当該開放端部３１ｂ、３１ｃを相互に係止可能である一方、端部係止部３５ｃにおける開放端部３１ｂ、３１ｃの係止を解除することで支点部３５ｄを支点として全体を撓ませながら当該開放端部３１ｂ、３１ｃを相互に開放可能に構成される。本体部３１は、端部係止部３５ｃによって開放端部３１ｂ、３１ｃが相互に係止された状態で、全体として略長円形状の環状をなす。
【００２７】
係止爪部３２は、嵌合部３５の外側面３５ｂから突出して形成され貫通孔１０１の縁部に係止可能なロック部である。係止爪部３２は、貫通孔１０１の縁部に係止可能な爪状に形成される。ここでは、係止爪部３２は、より詳細には、図４に示すように、外側面３５ｂから外側（挿通空間部３１ａ側とは反対側）に向けて突出して延在するアーム部３２ａと、アーム部３２ａの先端部に形成される爪部３２ｂとを含んで形成される。アーム部３２ａは、可撓性を有するアーム状に形成される部分であり、嵌合部３５の外側面３５ｂにおいて、軸方向Ｘにおける装着部３４側とは反対側の端部から軸方向Ｘに沿って装着部３４側に向けて延在して形成される。爪部３２ｂは、アーム部３２ａの先端部から外側（挿通空間部３１ａ側とは反対側）に向けて突出した爪状に形成される。爪部３２ｂは、軸方向Ｘの装着部３４側の面が貫通孔１０１の縁部と接触し係止される係止面３２ｃを構成する。本実施形態の係止爪部３２は、嵌合部３５の外側面３５ｂに４つ形成される。
【００２８】
変形調整リブ部３３は、嵌合部３５の外側面３５ｂから突出して形成され貫通孔１０１の内面１０１ａと当接可能な部分である。変形調整リブ部３３は、軸方向Ｘに沿って延在して形成される。より詳細には、変形調整リブ部３３は、少なくとも軸方向Ｘに沿って装着部３４から係止面３２ｃの形成位置を越える位置まで延在している。変形調整リブ部３３は、図５、図６に示すように、グロメットインナ３が貫通孔１０１に嵌合した状態で、嵌合部３５の外側面３５ｂと貫通孔１０１の内面１０１ａとの間に介在し当該貫通孔１０１の内面１０１ａと当接可能に形成される。変形調整リブ部３３は、例えば、軸方向Ｘと直交する方向の断面形状が三角形状、半円形状、矩形形状等に形成される。ここでは一例として、変形調整リブ部３３は、例えば図６に示すように、当該断面形状が三角形状に形成される。本実施形態の変形調整リブ部３３は、嵌合部３５の外側面３５ｂに４つ形成される。
【００２９】
なお、貫通孔１０１の形状、グロメットインナ３における嵌合部３５の外側面３５ｂの形状、係止爪部３２、変形調整リブ部３３、端部係止部３５ｃ、支点部３５ｄ等の位置関係については、後で詳細に説明する。
【００３０】
上記のように構成されるグロメット１は、典型的には、グロメットアウタ２、及び、グロメットインナ３が電線Ｗに装着された後に、貫通孔１０１に組み付けられる。例えば、グロメットインナ３は、端部係止部３５ｃにおける開放端部３１ｂ、３１ｃの係止が解除され当該開放端部３１ｂ、３１ｃを相互に開放させた状態で挿通空間部３１ａに電線Ｗが挿通され、その後、端部係止部３５ｃによって当該開放端部３１ｂ、３１ｃが相互に係止される。これにより、グロメットインナ３は、電線Ｗの端部にコネクタ等が設けられている場合でも簡単に挿通空間部３１ａに当該電線Ｗを挿通させることができる。この場合、グロメットアウタ２は、例えば、管状部２２等を弾性変形させながら押し広げつつ電線Ｗの端部のコネクタと共に当該電線Ｗを嵌合挿通空間部２１ｄ、挿通空間部２２ａに挿通させることができる。そして、グロメット１は、グロメットインナ３の装着部３４、及び、嵌合部３５がグロメットアウタ２の本体部２１の嵌合挿通空間部２１ｄに嵌合され、装着部３４が本体部２１の閉塞端面部２１ｂとフランジ部２１ｃとの間に位置し保持されることで、装着部３４に当該グロメットアウタ２が装着され、グロメットアウタ２とグロメットインナ３とが一体化される。そして、グロメット１は、グロメットインナ３の嵌合部３５が取付パネル１００の被止水面１０２側から貫通孔１０１に押し込まれ嵌合される。このとき、グロメット１は、グロメットインナ３の各係止爪部３２のアーム部３２ａが貫通孔１０１の縁部に押圧されることで撓みながら嵌合され、各係止爪部３２の爪部３２ｂが取付パネル１００の他方側（被止水面１０２とは反対側）に完全に進出すると、当該撓んだアーム部３２ａが元の位置に復帰し、各係止爪部３２の係止面３２ｃが縁部に係止される（図４、図５参照）。これにより、グロメット１は、貫通孔１０１への組み付けが完了する。グロメット１は、グロメットインナ３の嵌合部３５が貫通孔１０１に嵌合され各係止爪部３２が貫通孔１０１の縁部に係止された状態で、第１リップ部２３ａ、第２リップ部２３ｂが弾性変形しつつ貫通孔１０１の周縁の被止水面１０２に密着し、貫通孔１０１の全周縁をシールする。また、この状態で、グロメット１は、変形調整リブ部３３が嵌合部３５の外側面３５ｂと貫通孔１０１の内面１０１ａとの間に介在し当該貫通孔１０１の内面１０１ａと当接する（図５、図６参照）。
【００３１】
そして、本実施形態のグロメットインナ３は、図７、図８、図９、図１０に示すように、貫通孔１０１の内面１０１ａ、嵌合部３５の外側面３５ｂが仮想輪郭線Ｌ１に沿って形成されると共に、係止爪部３２、変形調整リブ部３３が当該仮想輪郭線Ｌ１において所定の位置関係になるように設けられることで、より確実な組み付けの実現が図られている。
【００３２】
ここで、仮想輪郭線Ｌ１は、図７に示すように、長軸Ｌ２と当該長軸Ｌ２と直交する短軸Ｌ３との交点である基準点Ｐ１に対して点対称形（言い換えれば、長軸Ｌ２、及び、短軸Ｌ３に対して線対称形）で、かつ、長軸Ｌ２に沿った長さが短軸Ｌ３に沿った長さよりも長く、かつ、少なくとも長軸Ｌ２に沿った長軸方向の両端が曲線である環状の仮想線として予め設計的に設定される。ここでは、長軸Ｌ２は、長軸方向Ｙに沿った軸線であり、短軸Ｌ３は、短軸方向Ｚに沿った軸線である。本実施形態の仮想輪郭線Ｌ１は、長円形状として形成される。ここで、当該長円形状とは、典型的には、長軸Ｌ２に沿った対向する一対の直線部分と、これらの一対の直線部分を結ぶ略円弧上の曲線部分からなる形状と定義することができる。
【００３３】
貫通孔１０１の内面１０１ａ、及び、嵌合部３５の外側面３５ｂは、当該仮想輪郭線Ｌ１に沿う形状に形成され、すなわちここでは、軸方向視において、長円形状となるように形成される。図７では、貫通孔１０１の内面１０１ａ、及び、嵌合部３５の外側面３５ｂは、グロメットインナ３が貫通孔１０１に嵌合した状態で、内面１０１ａが当該仮想輪郭線Ｌ１の外側に位置し、外側面３５ｂが当該仮想輪郭線Ｌ１の内側に位置し互いに対向するものとして図示しているが、内面１０１ａ、外側面３５ｂの仮想輪郭線Ｌ１に対する内外の関係はこれに限らず、内面１０１ａが外側面３５ｂの外側に位置しかつ両者が概ね仮想輪郭線Ｌ１に沿った形状となっていればよい。またここでは、グロメットアウタ２の筒状部２１ａ、フランジ部２１ｃ、第１リップ部２３ａ、第２リップ部２３ｂ、グロメットインナ３の装着部３４、嵌合部３５の内側面３５ａ等も、当該仮想輪郭線Ｌ１に沿う形状に形成され、すなわち、軸方向視において、長円形状となるように形成され、グロメット１の全体が軸方向視において、長円形状となるように形成される。グロメット１は、基準点Ｐ１側から嵌合部３５の内側面３５ａ、嵌合部３５の外側面３５ｂ、貫通孔１０１の内面１０１ａ、第２リップ部２３ｂ、第１リップ部２３ａの順で段階的に大きな長円形状となるように形成されている。
【００３４】
そして、係止爪部３２は、図７、図８に示すように、嵌合部３５の外側面３５ｂの２つの長軸基準位置Ｐ２と、２つの短軸基準位置Ｐ３との間の４つの区間における各曲面部分に少なくとも１つずつ、合計４つが設けられる。２つの長軸基準位置Ｐ２は、長軸Ｌ２と仮想輪郭線Ｌ１との交点である２つの長軸交点Ｐ２１に対応した位置である。長軸交点Ｐ２１は、仮想輪郭線Ｌ１における長軸方向Ｙの両頂点に相当する。２つの短軸基準位置Ｐ３は、短軸Ｌ３と仮想輪郭線Ｌ１との交点である２つの短軸交点Ｐ３１に対応した位置である。短軸交点Ｐ３１は、長円形状における直線部分の中点に相当する。本実施形態の４つの係止爪部３２は、基準点Ｐ１に対して点対称な位置（言い換えれば、長軸Ｌ２、及び、短軸Ｌ３に対して線対称形な位置）に形成される。
【００３５】
さらに、変形調整リブ部３３は、図７、図８に示すように、２つの長軸基準位置Ｐ２と上記のように配置される４つの係止爪部３２との間の４つの区間に少なくとも１つずつ、合計４つが設けられる。本実施形態の４つの変形調整リブ部３３は、基準点Ｐ１に対して点対称な位置（言い換えれば、長軸Ｌ２、及び、短軸Ｌ３に対して線対称形な位置）に形成される。
【００３６】
ここで、上述した端部係止部３５ｃは、図７、図８等に示すように、２つの長軸基準位置Ｐ２の一方側の曲面部分に設けられ、支点部３５ｄは、２つの長軸基準位置Ｐ２の他方側の曲面部分に設けられる。そして、長軸方向Ｙの一方側の２つの変形調整リブ部３３は、図７、図８、図９等に示すように、外側面３５ｂの周方向に対して端部係止部３５ｃを挟む位置に形成される。また、長軸方向Ｙの他方側の２つの変形調整リブ部３３は、図７、図８、図１０等に示すように、外側面３５ｂの周方向に対して支点部３５ｄを挟む位置に形成される。
【００３７】
また、本実施形態の各変形調整リブ部３３は、貫通孔１０１の縁部によって押し潰し可能ないわゆる潰しリブ部として形成される。ここでは、各変形調整リブ部３３は、グロメットインナ３が貫通孔１０１に嵌合していない状態で、外側面３５ｂからの突出量Ｄ１（図９参照）が、当該各変形調整リブ部３３が設けられている位置における外側面３５ｂと内面１０１ａとの間隔Ｄ２（図７参照）以上になるように形成される（Ｄ１≧Ｄ２）。これにより、各変形調整リブ部３３は、グロメットインナ３の嵌合部３５を貫通孔１０１に嵌合させる動作に伴って貫通孔１０１の縁部によって押し潰され、内面１０１ａとの隙間がほぼなくなるようにすることができる。なお、突出量Ｄ１の最大値は、嵌合部３５の貫通孔１０１への嵌合が可能な範囲に限られる。
【００３８】
以上で説明したグロメットインナ３によれば、被止水面１０２に接触し当該被止水面１０２との間を止水可能であるグロメットアウタ２が装着される装着部３４と、装着部３４と一体で電線Ｗを挿通可能な環状に形成され、被止水面１０２に形成された貫通孔１０１に嵌合可能である嵌合部３５と、嵌合部３５の外側面３５ｂから突出して形成され貫通孔１０１の縁部に係止可能である係止爪部３２と、嵌合部３５の外側面３５ｂから突出して形成され貫通孔１０１の内面１０１ａと当接可能である変形調整リブ部３３とを備え、貫通孔１０１の内面１０１ａ、及び、嵌合部３５の外側面３５ｂは、長軸Ｌ２と当該長軸Ｌ２と直交する短軸Ｌ３との交点である基準点Ｐ１に対して対称形で、かつ、長軸Ｌ２に沿った長さが短軸Ｌ３に沿った長さよりも長く、かつ、少なくとも長軸Ｌ２に沿った長軸方向Ｙの両端が曲線である環状の仮想輪郭線Ｌ１に沿う形状に形成され、係止爪部３２は、長軸Ｌ２と仮想輪郭線Ｌ１との交点である２つの長軸交点Ｐ２１に対応した位置である嵌合部３５の外側面３５ｂの２つの長軸基準位置Ｐ２と、短軸Ｌ３と仮想輪郭線Ｌ１との交点である２つの短軸交点Ｐ３１に対応した位置である嵌合部３５の外側面３５ｂの２つの短軸基準位置Ｐ３との間の４つの区間における各曲面部分に少なくとも１つずつ、合計４つが設けられ、変形調整リブ部３３は、２つの長軸基準位置Ｐ２と４つの係止爪部３２との間の４つの区間に少なくとも１つずつ、合計４つが設けられる。以上で説明したグロメット１によれば、被止水面１０２に接触し当該被止水面１０２との間を止水可能であるグロメットアウタ２と、グロメットアウタ２が装着される上記グロメットインナ３とを備える。以上で説明したワイヤハーネスＷＨによれば、電線Ｗと、被止水面１０２に接触し当該被止水面１０２との間を止水可能であるグロメットアウタ２、及び、グロメットアウタ２が装着される上記グロメットインナ３を有するグロメット１とを備える。
【００３９】
したがって、グロメットインナ３、グロメット１、ワイヤハーネスＷＨは、グロメットインナ３の嵌合部３５が被止水面１０２に形成された貫通孔１０１に嵌合し係止爪部３２によって当該貫通孔１０１の縁部に係止され、グロメットインナ３の装着部３４に装着されたグロメットアウタ２が被止水面１０２に接触し当該被止水面１０２との間を止水する。そして、グロメットインナ３、グロメット１、ワイヤハーネスＷＨは、例えば、グロメットインナ３が貫通孔１０１に対して相対回転しねじれが発生した場合であっても、貫通孔１０１の内面１０１ａ、嵌合部３５の外側面３５ｂが仮想輪郭線Ｌ１に沿って形成されると共に、係止爪部３２、変形調整リブ部３３が当該仮想輪郭線Ｌ１に対して上記の位置関係になるように設けられることで、当該ねじれに応じたグロメットインナ３の嵌合部３５の変形が変形調整リブ部３３によって調整され、これにより、各係止爪部３２と貫通孔１０１の縁部との係止状態を適正な状態で維持することができる。
【００４０】
例えば、グロメットインナ３は、図８中に矢印Ａに示すように、グロメットインナ３が貫通孔１０１に対して向かって左回りに相対回転した場合、図８中の矢印Ａ１に示すように、貫通孔１０１の内面１０１ａによって、図８中の左上の変形調整リブ部３３と、当該変形調整リブ部３３に対して基準点Ｐ１を挟んで反対側に対向して位置する変形調整リブ部３３とが互いに接近する方向への押圧力が付加される。これにより、グロメットインナ３は、図８中の矢印Ａ２に示すように、上記２つの変形調整リブ部３３が接近する方向に押圧されるのに伴って、上記接近する２つの変形調整リブ部３３に対して長軸Ｌ２、及び、短軸Ｌ３を挟んで反対側に位置する２つの係止爪部３２、ここでは、図８中の右上の係止爪部３２と、当該係止爪部３２に対して基準点Ｐ１を挟んで反対側に対向して位置する係止爪部３２とが外側（挿通空間部３１ａ側とは反対側）に向かって相互に離間する方向への拡張力が作用する。このため、グロメットインナ３は、上記２つの変形調整リブ部３３に当該押圧力が付加されることに伴って上記２つの係止爪部３２に作用する当該拡張力によって当該２つの係止爪部３２が外側に向かって相互に離間するように変形する。つまり、グロメットインナ３は、上記接近する２つの変形調整リブ部３３の作用によって当該２つの係止爪部３２の係止面３２ｃと貫通孔１０１の縁部との各係り代が減らない方向に変形させることができる。
【００４１】
これとは逆に、グロメットインナ３は、図８中に矢印Ｂに示すように、グロメットインナ３が反対回り、すなわち、グロメットインナ３が貫通孔１０１に対して向かって右回り相対回転した場合、図８中の矢印Ｂ１に示すように、貫通孔１０１の内面１０１ａによって、図８中の右上の変形調整リブ部３３と、当該変形調整リブ部３３に対して基準点Ｐ１を挟んで反対側に対向して位置する変形調整リブ部３３とが互いに接近する方向への押圧力が付加される。これにより、グロメットインナ３は、図８中の矢印Ｂ２に示すように、上記２つの変形調整リブ部３３が接近する方向に押圧されるのに伴って、上記接近する２つの変形調整リブ部３３に対して長軸Ｌ２、及び、短軸Ｌ３を挟んで反対側に位置する２つの係止爪部３２、ここでは、図８中の左上の係止爪部３２と、当該係止爪部３２に対して基準点Ｐ１を挟んで反対側に対向して位置する係止爪部３２とが外側に向かって相互に離間する方向への拡張力が作用し変形する。つまりこの場合も、グロメットインナ３は、上記接近する２つの変形調整リブ部３３の作用によって当該２つの係止爪部３２の係止面３２ｃと貫通孔１０１の縁部との係り代が減らない方向に変形させることができる。
【００４２】
この結果、グロメットインナ３、グロメット１、ワイヤハーネスＷＨは、各係止爪部３２の係止面３２ｃと貫通孔１０１の縁部との係り代が十分に確保された状態を安定して維持することができるので、各係止爪部３２と貫通孔１０１の縁部との係止状態を適正な状態で維持することができ、当該グロメットインナ３を貫通孔１０１に確実に組み付けることができる。またここでは、グロメットインナ３、グロメット１、ワイヤハーネスＷＨは、変形調整リブ部３３が２つの長軸基準位置Ｐ２と４つの係止爪部３２との間の４つの区間に少なくとも１つずつ設けられることから、上記のようにグロメットインナ３と貫通孔１０１との両方向への相対回転に対応することができ、この点でも当該グロメットインナ３を貫通孔１０１に確実に組み付けることができる。
【００４３】
また、グロメットインナ３、グロメット１、ワイヤハーネスＷＨは、各変形調整リブ部３３が嵌合部３５の外側面３５ｂと貫通孔１０１の内面１０１ａとの間に介在し当該貫通孔１０１の内面１０１ａと当接することで、長軸方向Ｙ、及び、短軸方向Ｚに対するガタ詰めリブ部としても機能し必要隙間を低減することができる。これにより、グロメットインナ３、グロメット１、ワイヤハーネスＷＨは、長軸方向Ｙ、及び、短軸方向Ｚに対するグロメットインナ３と貫通孔１０１との相対移動（オフセット）を抑制することができ、これによっても、各係止爪部３２の係止面３２ｃと貫通孔１０１の縁部との係り代が十分に確保された状態を維持することができるので、この点でも各係止爪部３２と貫通孔１０１の縁部との係止状態を適正な状態で維持することができ、当該グロメットインナ３を貫通孔１０１に確実に組み付けることができる。
【００４４】
そして、上記のようにグロメットインナ３、グロメット１、ワイヤハーネスＷＨは、グロメットインナ３を貫通孔１０１に確実に組み付けることができるので、第１リップ部２３ａ、第２リップ部２３ｂと貫通孔１０１の周縁の被止水面１０２との接触状態を適正に維持することができ、これにより、適正な防水性を確実に確保することができる。
【００４５】
さらに、以上で説明したグロメットインナ３、グロメット１、ワイヤハーネスＷＨによれば、４つの係止爪部３２、及び、４つの変形調整リブ部３３は、それぞれ基準点Ｐ１に対して対称な位置に形成される。したがって、グロメットインナ３、グロメット１、ワイヤハーネスＷＨは、当該グロメットインナ３が、対称な位置に配置された４つの係止爪部３２によって貫通孔１０１の縁部に係止されるので、係止力をバランスよく作用させることができ、その上で、グロメットインナ３の嵌合部３５の変形が変形調整リブ部３３によって調整されることで、グロメットインナ３を貫通孔１０１により確実に組み付けることができる。
【００４６】
さらに、以上で説明したグロメットインナ３、グロメット１、ワイヤハーネスＷＨによれば、変形調整リブ部３３は、貫通孔１０１の縁部によって押し潰し可能な潰しリブ部である。したがって、グロメットインナ３、グロメット１、ワイヤハーネスＷＨは、嵌合部３５を貫通孔１０１に嵌合させる動作に伴って、各変形調整リブ部３３が貫通孔１０１の縁部によって押し潰され、貫通孔１０１の内面１０１ａとの隙間をほぼなくすことができる。これにより、グロメットインナ３、グロメット１、ワイヤハーネスＷＨは、各変形調整リブ部３３による変形調整の機能、及び、ガタ詰めの機能を好適に発揮することができ、この点でもグロメットインナ３を貫通孔１０１により確実に組み付けることができる。
【００４７】
さらに、以上で説明したグロメットインナ３、グロメット１、ワイヤハーネスＷＨによれば、嵌合部３５は、２つの長軸基準位置Ｐ２の一方側の曲面部分に設けられ相互に開放可能な開放端部３１ｂ、３１ｃを相互に係止可能な端部係止部３５ｃと、２つの長軸基準位置Ｐ２の他方側の曲面部分に設けられ開放端部３１ｂ、３１ｃの開放支点となる支点部３５ｄとを有する。したがって、グロメットインナ３、グロメット１、ワイヤハーネスＷＨは、当該グロメットインナ３が、他の部位よりも相対的に変形しやすい変形容易部として端部係止部３５ｃや支点部３５ｄを含む構成である場合に、係止爪部３２、変形調整リブ部３３が上記のような位置関係で配置されることで、変形調整リブ部３３による嵌合部３５の変形調整の作用をより顕著に奏することができ、各係止爪部３２と貫通孔１０１の縁部との係止状態を適正な状態で維持する効果をより顕著に発揮することができる。
【００４８】
なお、上述した本発明の実施形態に係るグロメットインナ、グロメット、及び、ワイヤハーネスは、上述した実施形態に限定されず、特許請求の範囲に記載された範囲で種々の変更が可能である。本実施形態に係るグロメットインナ、グロメット、及び、ワイヤハーネスは、以上で説明した各実施形態、変形例の構成要素を適宜組み合わせることで構成してもよい。
【００４９】
以上の説明では、嵌合部３５は、長軸方向Ｙの一方の端部に設けられる端部係止部３５ｃと、長軸方向Ｙの他方の端部に設けられる支点部３５ｄとを有するものとして説明したがこれに限らない。嵌合部３５は、端部係止部３５ｃ、支点部３５ｄが上述とは異なる位置に配置されていてもよいし、開放端部３１ｂ、３１ｃ、端部係止部３５ｃ、支点部３５ｄ自体を備えない構成であってもよい。
【００５０】
以上の説明では、係止爪部３２は、アーム部３２ａと、爪部３２ｂとを含んで形成されるものとして説明したがこれに限らず、貫通孔１０１の縁部に係止可能な爪状に形成されるものであればよく、例えば、一部がアーム部３２ａを備えない構成であってもよい。
【００５１】
以上で説明した係止爪部３２は、２つの長軸基準位置Ｐ２と２つの短軸基準位置Ｐ３との間の４つの区間における各曲面部分に少なくとも１つずつ設けられればよく、例えば、当該係止爪部３２が２つ設けられている区間があってもよく、すなわち、合計５つ以上が設けられていてもよい。また、４つの係止爪部３２は、基準点Ｐ１に対して対称な位置に形成されるものとして説明したがこれに限らず、２つの長軸基準位置Ｐ２と２つの短軸基準位置Ｐ３との間の４つの区間における各曲面部分に少なくとも１つずつ設けられていれば非対称な位置であってもよい。
【００５２】
同様に、以上で説明した変形調整リブ部３３は、２つの長軸基準位置Ｐ２と４つの係止爪部３２との間の４つの区間に少なくとも１つずつ設けられればよく、例えば、当該変形調整リブ部３３が２つ設けられている区間があってもよく、すなわち、合計５つ以上が設けられていてもよい。また、４つの変形調整リブ部３３は、２つの長軸基準位置Ｐ２と４つの係止爪部３２との間の４つの区間に少なくとも１つずつ設けられていれば非対称な位置であってもよい。
【００５３】
以上の説明では、仮想輪郭線Ｌ１は、長円形状として形成されるものとして説明したがこれに限らず、例えば、図１１の変形例に示すように、基準点Ｐ１に対して対称形で、かつ、長軸Ｌ２に沿った長さが短軸Ｌ３に沿った長さよりも長く、かつ、少なくとも長軸Ｌ２に沿った長軸方向の両端が曲線である環状の仮想線であれば、いわゆる楕円形状であってもよい。ここで、当該楕円形状とは、典型的には、長軸Ｌ２のある２定点からの距離の和が一定となるような点の集合からなる形状と定義することができる。この場合、短軸交点Ｐ３１は、仮想輪郭線Ｌ１における短軸方向Ｚの両頂点に相当する。
【符号の説明】
【００５４】
１    グロメット
２    グロメットアウタ
３    グロメットインナ
３１ｂ、３１ｃ    開放端部
３２    係止爪部
３３    変形調整リブ部
３４    装着部
３５    嵌合部
３５ｂ    外側面
３５ｃ    端部係止部
３５ｄ    支点部
１０１    貫通孔
１０１ａ    内面
１０２    被止水面
Ｌ１    仮想輪郭線
Ｌ２    長軸
Ｌ３    短軸
Ｐ１    基準点
Ｐ２    長軸基準位置
Ｐ２１    長軸交点
Ｐ３    短軸基準位置
Ｐ３１    短軸交点
Ｗ    電線
ＷＨ    ワイヤハーネス
Ｙ    長軸方向
【図１】
0006749789.tif 000002
【図２】
0006749789.tif 000003
【図３】
0006749789.tif 000004
【図４】
0006749789.tif 000005
【図５】
0006749789.tif 000006
【図６】
0006749789.tif 000007
【図７】
0006749789.tif 000008
【図８】
0006749789.tif 000009
【図９】
0006749789.tif 000010
【図１０】
0006749789.tif 000011
【図１１】
0006749789.tif 000012